(57)【要約】  移動局からの無線信号を中継する中継局と接続された基地局であって、前記基地局と中継局との間の第一無線区間の伝搬品質である第一伝搬品質に基づき前記第一無線区間の第一リソースブロック割り当て情報を生成するリソースブロック割り当て部と、前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を計算する倍率決定部と、前記第一リソースブロック割り当て情報と前記倍率とを前記中継局へ送信する送信部と、を有する。
2011042970.tif 000002
【特許請求の範囲】
【請求項１】
移動局からの無線信号を中継する中継局と接続された基地局であって、
前記基地局と中継局との間の第一無線区間の伝搬品質である第一伝搬品質に基づき前記第一無線区間の第一リソースブロック割り当て情報を生成するリソースブロック割り当て部と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を計算する倍率決定部と、
前記第一リソースブロック割り当て情報と前記倍率とを前記中継局へ送信する送信部と、
を有する基地局。
【請求項２】
前記第一リソースブロック数は、前記第一伝搬品質から算出され、前記第二リソースブロック数は、前記第二無線区間の伝搬品質である第二伝搬品質から算出される、
請求項１記載の基地局。
【請求項３】
前記第一リソースブロック数は、前記第一リソースブロック割り当て情報から算出され、前記第二リソースブロック数は、前記第二伝搬品質から算出される、
請求項１記載の基地局。
【請求項４】
前記第一リソースブロック割り当て情報は、最も高い前記第一伝搬品質を有するリソースブロックから順に、又は所定値より高い前記第一伝搬品質を有するリソースブロックから選択して作成される、
請求項１記載の基地局。
【請求項５】
移動局からの無線信号を中継する中継局と接続された基地局におけるリソース割当て方法であって、
前記基地局と中継局との間の第一無線区間の伝搬品質である第一伝搬品質に基づき前記第一無線区間の第一リソースブロック割り当て情報を生成し、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を計算し、
前記第一リソースブロック割り当て情報と前記倍率とを前記中継局へ送信する、
ことを特徴とする基地局におけるリソース割当て方法。
【請求項６】
移動局からの無線信号を基地局に中継する中継局であって、
データを受信する受信部と、
リソースブロック割り当て情報を生成するリソースブロック割り当て部と、を有し、
前記受信部は、前記基地局から、
前記基地局と中継局との間の第一無線区間の伝搬品質である第一伝搬品質に基づく前記第一無線区間の第一リソースブロック割り当て情報と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率と、
を受信し、
前記リソースブロック割り当て部は、前記第一リソースブロック割り当て情報と前記倍率に基づき、前記第二無線区間の第二リソースブロック割り当て情報を生成する、
中継局。
【請求項７】
移動局からの無線信号を基地局に中継する中継局の動作方法であって、
前記基地局から、
前記基地局と中継局との間の第一無線区間の伝搬品質である第一伝搬品質に基づく前記第一無線区間の第一リソースブロック割り当て情報と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率と、
を受信し、
前記第一リソースブロック割り当て情報と前記倍率に基づき、前記第二無線区間の第二リソースブロック割り当て情報を生成する、
ことを特徴とする方法。
【請求項８】
移動局からの通信を基地局に中継する中継局であって、
前記基地局と中継局との間の第一無線区間の第一リソースブロック割り当て情報を受信する受信部と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を決定する倍率決定部と、
前記第一リソースブロック割り当て情報と前記倍率から、前記第二無線区間の第二リソースブロック割り当て情報を生成するリソースブロック割り当て部と、
を有する中継局。
【請求項９】
前記第一リソースブロック数は、前記第一無線区間の伝搬品質である第一伝搬品質から算出され、前記第二リソースブロック数は、前記第二無線区間の伝搬品質である第二伝搬品質から算出される、
請求項８記載の中継局。
【請求項１０】
前記第一リソースブロック数は、前記第一リソースブロック割り当て情報から算出され、前記第二リソースブロック数は、前記第二無線区間の伝搬品質である第二伝搬品質から算出される、
請求項８記載の中継局。
【請求項１１】
前記第一リソースブロック割り当て情報は、最も高い、前記第一無線区間の伝搬品質である第一伝搬品質を有するリソースブロックから順に、又は所定値より高い前記第一伝搬品質を有するリソースブロックから選択して作成される、
請求項８記載の中継局。
【請求項１２】
移動局からの無線信号を基地局に中継する中継局の動作方法であって、
前記基地局と中継局との間の第一無線区間の第一リソースブロック割り当て情報を受信し、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を決定し、
前記第一リソースブロック割り当て情報と前記倍率から、前記第二無線区間の第二リソースブロック割り当て情報を生成する、
ことを特徴とする方法。
【発明の詳細な説明】
【技術分野】
【０００１】
本発明は、基地局及び中継局を有する無線通信システムでの制御情報の送受信に関する。
【背景技術】
【０００２】
基地局が中継局を介して移動局と通信する無線通信システムが知られている。図１は、このような従来の基地局、中継局、及び移動局を有するシステムの概略図である。図１に示すように、システムは、基地局ＢＳ、中継局ＲＳ、及び移動局ＭＳを有する。基地局ＢＳ、中継局ＲＳ、及び移動局Ｍは複数存在してよい。【０００３】
基地局ＢＳと中継局ＲＳとの間を第一無線区間、中継局ＲＳと移動局ＭＳとの間を第二無線区間と表す。第一無線区間と第二無線区間では、伝搬品質（例えば、ＣＱＩ：Ｃｈａｎｎｅｌ  Ｑｕｑｌｉｔｙ  Ｉｎｄｉｃａｔｏｒ）が独立しており、各無線区間で伝搬品質が異なる。そのため、無線区間毎に制御チャネルを用いて伝送制御を行っている。【０００４】
中継局を介した通信システムでは、各無線区間で最適なスケジューリングを行うために、無線区間毎にリソースブロック割り当て情報を送信している。基地局は、第一及び第二無線区間のそれぞれのリソースブロック割り当て情報を生成し、送信する。従って、第一無線区間では、第一無線区間の第一リソースブロック割り当て情報と第二無線区間の第二リソースブロック割り当て情報の両方が送信される。【０００５】
基地局は、どのリソースブロックを移動局に割り当てたかを示すリソースブロック割り当て情報（Ｒｅｏｓｕｒｃｅ  Ｂｌｏｃｋ  ａｓｓｉｇｎｍｅｎｔ）を送信することにより、移動局に使用すべきリソースブロックを通知する。【０００６】
リソースブロック割り当て情報はビットマップ形式なので、リソースブロックと同数のビット数が必要になる。図２は、従来のビットマップによるリソースブロック割り当て情報を示す。例えば、リソースブロックの割り当ては、連続する４つのリソースブロックを有するリソースブロック・グループ単位で行われる。帯域２０ＭＨｚの場合、図２に示すように、１００個のリソースブロックがあり、２５個ずつのリソースブロック・グループに分けられる。この場合、リソースブロック割り当て情報は２５ビット必要となる。以下では、リソースブロック・グループを単にリソースブロックを表す。
【先行技術文献】
【特許文献】
【０００７】
【特許文献１】国際公開第２００６／０９８２７３号パンフレット
【発明の概要】
【発明が解決しようとする課題】
【０００８】
上述のように、中継局を有する無線通信システムの第一無線区間では、第一無線区間のリソースブロック割り当て情報と第二無線区間のリソースブロック割り当て情報が送信される。リソースブロック割り当て情報は、多くのビットを必要とするため、制御チャネルにとっては負荷が高い。そこで、本発明は、リソースブロック割り当て情報のビット数を削減し、制御チャネルの負荷を低減する。
【課題を解決するための手段】
【０００９】
移動局からの無線信号を中継する中継局と接続された基地局であって、前記基地局と中継局との間の第一無線区間の伝搬品質である第一伝搬品質に基づき前記第一無線区間の第一リソースブロック割り当て情報を生成するリソースブロック割り当て部と、前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を計算する倍率決定部と、前記第一リソースブロック割り当て情報と前記倍率とを前記中継局へ送信する送信部と、を有する。
【発明の効果】
【００１０】
開示の装置及び方法は、リソースブロック割り当て情報のビット数を削減し、制御チャネルの負荷を低減する。
【図面の簡単な説明】
【００１１】
【図１】基地局、中継局及び移動局を有するシステムの概略図である。
【図２】従来のビットマップによるリソースブロック割り当て情報を示す。
【図３】第一実施形態の基地局のブロック図である。
【図４】第一実施形態の中継局のブロック図である。
【図５】第一実施形態のシーケンス図である。
【図６】第一実施形態のリソースブロック情報の生成の第一の例を説明する図である。
【図７】第一実施形態のリソースブロック情報の生成の第二の例を説明する図である。
【図８】第二実施形態の基地局のブロック図である。
【図９】第二実施形態の中継局のブロック図である。
【図１０】第二実施形態のシーケンス図である。
【図１１】第三実施形態の基地局のブロック図である。
【図１２】第三実施形態の中継局のブロック図である。
【図１３】第三実施形態のシーケンス図である。
【図１４】第三実施形態のリソースブロック情報の生成の例を説明する図である。
【発明を実施するための形態】
【００１２】
以下に、図面を参照して、本発明の実施形態を説明する。
【００１３】
＜システム構成＞
本実施形態は、図１と同様の無線通信システムに適用される。
【００１４】
＜第一実施形態：基地局＞
図３は、第一実施形態の基地局のブロック図である。基地局３００は、図１の基地局ＢＳに対応する。
【００１５】
基地局３００は、アンテナ３０１、受信部３０２、復調部３０３、復号部３０４、リソースブロック（ＲＢ）割り当て部３０５、倍率決定部３０６、符号化部３０７、変調部３０８、及び送信部３０９を有する。図３は制御データの処理系統のみ示しているが、実際の基地局３００は、図示しないユーザーデータの処理系統等を有する。
【００１６】
基地局は、第一無線区間の伝搬品質である第一伝搬品質ＣＱＩ１を中継局から受信し、第二無線区間の伝搬品質である第二伝搬品質ＣＱＩ２を移動局から中継局を介して受信する。基地局３００は、これらの伝搬品質を、アンテナ３０１により受信し、受信部３０２により無線処理を施し、復調部３０３により復調し、復号部３０４により復号する。これにより、第一無線区間の伝搬品質である第一伝搬品質ＣＱＩ１、第二無線区間の伝搬品質である第二伝搬品質ＣＱＩ２が得られる。
【００１７】
ＲＢ割り当て部３０５は、第一伝搬品質ＣＱＩ１に基づき、第一無線区間のリソースブロック割り当て情報を作成する。なお、リソースブロック割り当て情報は、ＣＱＩの他、サービス品質（ＱｏＳ）、バッファ内の残留データ量、再送パケットか否か、移動局の性能、等に基づき決定されてよい。簡単のため、以下の説明では、リソースブロックの割り当て情報を作成する際に、ＣＱＩのみを考慮する。
【００１８】
倍率決定部３０６は、第一伝搬品質ＣＱＩ１から第一無線区間に割り当てられるリソースブロック数を算出し、第二伝搬品質ＣＱＩ２から第二無線区間に割り当てられるリソースブロック数を算出する。倍率決定部３０６は、２つのリソースブロック数の倍率Ｋを算出する。倍率Ｋは、第一無線区間に割り当てた第一リソースブロック数と、該第一リソースブロック数を中継局と移動局との間の第二無線区間で送信するために第二無線区間で割り当てる第二リソースブロック数との比である。
【００１９】
ここで、倍率Ｋは、倍率Ｋを格納するビット数に応じて様々な大きさの値を表現することができる。例えば、２ビットを用いて「０．５倍、１倍、２倍、３倍」、又は「０．５倍、１倍、１．５倍、２倍」等のように４通りの倍率Ｋを表現できる。また、３ビットを用いた場合には、８通りの倍率Ｋを表現できる。
【００２０】
符号化部３０７は、ＲＢ割り当て部３０５から受信した第一無線区間のリソースブロック割り当て情報ＲＢ１と、倍率決定部３０６から受信した倍率Ｋを符号化する。
【００２１】
第一無線区間のリソースブロック割り当て情報ＲＢ１及び倍率Ｋは、符号化部３０７から変調部３０８に送られ、変調部３０８により変調され、送信部３０９によりアンテナ３０１を介して中継局へ送信される。
【００２２】
＜第一実施形態：中継局＞
図４は、第一実施形態の中継局のブロック図である。中継局４００は、図１の中継局ＲＳに対応する。
【００２３】
中継局４００は、アンテナ４０１、受信部４０２、復調部４０３、復号部４０４、リソースブロック（ＲＢ）割り当て部４０５、符号化部４０６、変調部４０７、及び送信部４０８を有する。図４は制御データの処理系統のみ示しているが、実際の中継局４００はユーザーデータの処理系統等を有する。
【００２４】
中継局４００は、基地局３００から受信した第一無線区間の第一リソースブロック割り当て情報ＲＢ１及び倍率Ｋに基づき、第二無線区間の第二リソースブロック割り当て情報ＲＢ２を作成する。中継局４００は、第一リソースブロック割り当て情報ＲＢ１及び倍率Ｋを、アンテナ４０１により受信し、受信部４０２により無線処理を施し、復調部４０３により復調し、復号部４０４により復号する。これにより、第一リソースブロック割り当て情報ＲＢ１及び倍率Ｋが得られる。
【００２５】
ＲＢ割り当て部４０５は、第一リソースブロック割り当て情報ＲＢ１と倍率Ｋに基づき、第二無線区間のリソースブロック割り当て情報ＲＢ２を作成する。なお、リソースブロック割り当て情報は、第一リソースブロック割り当て情報ＲＢ１と倍率Ｋの他、サービス品質（ＱｏＳ）、バッファ内の残留データ量、再送パケットか否か、移動局の性能、等に基づき決定されてよい。簡単のため、以下の説明では、リソースブロックの割り当て情報ＲＢ２を作成する際に、第一リソースブロック割り当て情報ＲＢ１と倍率Ｋのみを考慮する。
【００２６】
例えば、ＲＢ割り当て部４０５は、第一無線区間で割り当てられた順番と同じ順番で第二無線区間のリソースブロックを割り当ててよい。また、図６、７を参照して後述するように、倍率Ｋを用いて第一リソースブロック割り当て情報ＲＢ１を変更することにより、第二リソースブロック割り当て情報ＲＢ２を作成してもよい。
【００２７】
＜第一実施形態：シーケンス＞
図５は、第一実施形態のシーケンス図である。図５のＢＳ、ＲＳ、ＭＳは、それぞれ図１の基地局ＢＳ、中継局ＲＳ、移動局ＭＳ、及び図３の基地局３００、中継局４００に対応する。
【００２８】
段階５０１で、中継局（ＲＳ）４００は、基地局（ＢＳ）３００と中継局（ＲＳ）４００との間の第一無線区間の第一伝搬品質ＣＱＩ１を測定する。
【００２９】
段階５０２で、中継局（ＲＳ）４００は、基地局（ＢＳ）３００へ測定した第一伝搬品質ＣＱＩ１を送信する。
【００３０】
段階５０３で、移動局（ＭＳ）は、中継局（ＲＳ）４００と移動局ＭＳとの間の第二無線区間の第二伝搬品質ＣＱＩ２を測定する。
【００３１】
段階５０４で、移動局（ＭＳ）は、中継局（ＲＳ）４００を介して基地局（ＢＳ）３００へ測定した第一伝搬品質ＣＱＩ２を送信する。
【００３２】
段階５０１〜５０４は、基地局３００の指示に従い、周期的に又は任意のタイミングに中継局４００及び移動局により実行される。また、リソースブロック毎にＣＱＩの測定を実行することにより、基地局３００は、伝搬品質の良いリソースブロックを選択してリソースブロック割り当て情報ＲＢ１を作成することができる。或いは、リソースブロック・グループ毎にＣＱＩの測定を実行してもよい。
【００３３】
段階５０５で、基地局（ＢＳ）３００のＲＢ割り当て部３０５は、段階５０２で中継局（ＲＳ）４００から受信した第一伝搬品質ＣＱＩ１に基づき、第一無線区間の第一リソースブロック割り当て情報ＲＢ１を作成する。第一リソースブロック割り当て情報ＲＢ１は、最も高いＣＱＩを有するリソースブロックから順に、移動局により要求された帯域の分だけ選択することにより、作成される。
【００３４】
段階５０６で、基地局（ＢＳ）３００の倍率決定部３０６は、段階５０２で受信した第一伝搬品質ＣＱＩ１から第一無線区間に割り当てるブロック数を算出し、段階５０４で受信した第二伝搬品質ＣＱＩ２から第二無線区間に割り当てるブロック数を算出する。倍率決定部３０６は、算出したブロック数の倍率Ｋを算出する。
【００３５】
段階５０７で、基地局（ＢＳ）３００の送信部は、段階５０５で作成した第一リソースブロック割り当て情報ＲＢ１と、段階５０６で算出した倍率Ｋを中継局（ＲＳ）４００へ送信する。
【００３６】
段階５０８で、中継局（ＲＳ）４００は、段階５０７で受信した第一リソースブロック割り当て情報ＲＢ１と倍率Ｋを、アンテナ４０１、受信部４０２、復調部４０３、復号部４０４を介して、ＲＢ割り当て部４０５に渡す。ＲＢ割り当て部４０５は、段階５０７で受信した第一リソースブロック割り当て情報ＲＢ１と倍率Ｋに基づき、第二無線区間の第二リソースブロック割り当て情報ＲＢ２を作成する。
【００３７】
段階５０９で、段階５０８で作成した第二リソースブロック割り当て情報ＲＢ２を、符号化部４０６、変調部４０７、送信部４０８、及びアンテナ４０１を介して移動局ＭＳへ送信する。
【００３８】
＜第一実施形態：リソースブロック割り当て情報＞
以下に図６、７を参照しリソースブロック情報を生成する方法を説明する。以上に説明したように、第一リソースブロック割り当て情報ＲＢ１は基地局３００のＲＢ割り当て部３０５（図３）により作成され（図５の段階５０５）、倍率Ｋは基地局３００の倍率決定部３０６（図３）により作成される（図５の段階５０６）。また、第二リソースブロック割り当て情報ＲＢ２は、中継局４００のＲＢ割り当て部４０５（図４）により作成される（図５の段階５０８）。
【００３９】
図６は、第一実施形態のリソースブロック情報の生成の第一の例を説明する図である。図６の（ａ）は第一無線区間の周波数ｆと第一伝搬品質ＣＱＩ１の関係６０１と、生成される第一リソースブロック割り当て情報ＲＢ１を示す。ここでは、２つの移動局ＭＳ１、ＭＳ２にリソースブロックを割り当てる例を説明する。図６の（ｂ）、（ｃ）はそれぞれ移動局ＭＳ１、ＭＳ２への第二無線区間のリソースブロックの割り当てを示す。
【００４０】
（ａ）に示すように、基地局３００のＲＢ割り当て部３０５は、第一無線区間の第一伝搬品質ＣＱＩ１に応じて、移動局が第一無線区間で用いるリソースブロックを割り当てる。
【００４１】
移動局ＭＳ１には、周波数ｆの小さい方から２つのリソースブロックが割り当てられている。その結果、第一無線区間における移動局ＭＳ１のための第一リソースブロック割り当て情報ＲＢ１は、「１１００００００」（６０２）となる。また、移動局ＭＳ２には、周波数ｆの小さい方から３、４番目の２つのリソースブロックが割り当てられている。その結果、第一無線区間における移動局ＭＳ２のための第一リソースブロック割り当て情報ＲＢ１は、「００１１００００」（６０３）となる。ここでは、簡単のため、リソースブロック割り当て情報を８ビットで表すが、使用する帯域に応じてビット数が異なる。
【００４２】
（ｂ）に移動局ＭＳ１への第二無線区間のリソースブロックの割り当てを示す。移動局ＭＳ１について、第一無線区間と第二無線区間とで同程度のＣＱＩが得られた場合（６０４）、第二無線区間では、第一無線区間と同数のリソースブロック数を移動局ＭＳ１に割り当てればよい。従って、第一無線区間のリソースブロック数と第二無線区間のリソースブロック数の倍率Ｋは１．０になる。
【００４３】
Ｋ＝１．０の場合、中継局４００のＲＢ割り当て部４０５は、ＲＢ１「１１００００００」（６０２）の各ビットを１回ずつ繰り返し、移動局ＭＳ１のためのリソースブロック割り当て情報ＲＢ２を作成する。その結果、ＲＢ２は、ＲＢ１（６０２）と同じ「１１００００００」（６０５）となる。
【００４４】
（ｃ）に移動局ＭＳ２への第二無線区間のリソースブロックの割り当てを示す。例えば、移動局ＭＳ２について、第二無線区間の伝搬品質ＣＱＩ２が第一無線区間の伝搬品質ＣＱＩ１の１／２だった場合（６０６）、第二無線区間では、第一無線区間の２倍のリソースブロック数を移動局ＭＳ２に割り当てる必要がある。従って、第一無線区間のリソースブロック数と第二無線区間のリソースブロック数の倍率Ｋは２．０になる。
【００４５】
Ｋ＝２．０の場合、中継局４００のＲＢ割り当て部４０５は、ＲＢ１「００１１００００」（６０３）の各ビットを２回ずつ繰り返し、移動局ＭＳ２のためのリソースブロック割り当て情報ＲＢ２を作成する。その結果、ＲＢ２は、「００００１１１１」（６０７）となる。
【００４６】
図７は、第一実施形態のリソースブロック情報の生成の第二の例を説明する図である。図７は、図６と倍率Ｋの値が異なる。図７の（ａ）〜（ｃ）、７０１〜７０７は図６の（ａ）〜（ｃ）、６０１〜６０７に対応する。
【００４７】
（ａ）に示すように、基地局３００のＲＢ割り当て部３０５は、移動局ＭＳ１のための第一リソースブロック割り当て情報ＲＢ１「０１００００００」（７０２）、移動局ＭＳ２のための第一リソースブロック割り当て情報ＲＢ１「００１１１１００」（７０３）を作成する。
【００４８】
（ｂ）に移動局ＭＳ１への第二無線区間のリソースブロックの割り当てを示す。例えば、移動局ＭＳ１について、第二無線区間の伝搬品質ＣＱＩ２が第一無線区間の伝搬品質ＣＱＩ１の１／３だった場合（７０４）、第二無線区間では、第一無線区間の３倍のリソースブロック数を移動局ＭＳ１に割り当てる必要がある。従って、第一無線区間のリソースブロック数と第二無線区間のリソースブロック数の倍率Ｋは３．０になる。
【００４９】
Ｋ＝３．０の場合、中継局４００のＲＢ割り当て部４０５は、ＲＢ１「０１００００００」（７０２）の各ビットを３回ずつ繰り返し、移動局ＭＳ１のためのリソースブロック割り当て情報ＲＢ２を作成する。その結果、ＲＢ２は、「０００１１１００」（７０５）となる。
【００５０】
（ｃ）に移動局ＭＳ２への第二無線区間のリソースブロックの割り当てを示す。例えば、移動局ＭＳ２について、第二無線区間の伝搬品質ＣＱＩ２が第一無線区間の伝搬品質ＣＱＩ１の２倍だった場合（７０６）、第二無線区間では、第一無線区間の１／２倍のリソースブロック数を移動局ＭＳ２に割り当てればよい。従って、第一無線区間のリソースブロック数と第二無線区間のリソースブロック数の倍率Ｋは０．５になる。
【００５１】
Ｋ＝０．５の場合、中継局４００のＲＢ割り当て部４０５は、ＲＢ１「００１１１１００」（７０３）の各ビットを０．５回ずつ繰り返し、移動局ＭＳ２のためのリソースブロック割り当て情報ＲＢ２を作成する。その結果、ＲＢ２は、「０１１０００００」（７０７）となる。
【００５２】
このように、中継局は、第一無線区間と第二無線区間の伝搬品質ＣＱＩの倍率Ｋと、第一無線区間のリソ―スブロック割り当て情報ＲＢ１に基づき、第二無線区間の第二リソースブロック割り当て情報ＲＢ２を作成することができる。これにより、基地局は、ビットマップ形式の第二リソースブロック割り当て情報ＲＢ２を送信する代わりに、倍率Ｋだけを送信すればよいので、基地局と中継局との間の制御チャネルを用いたトラフィックを削減することができる。
【００５３】
＜第二実施形態：基地局＞
図８は、第二実施形態の基地局のブロック図である。図８は、倍率決定部を有さない点が図３と異なる。図８の８００〜８０８は、図３の３００〜３０５、３０７〜３０９に対応する。
【００５４】
第二実施形態では、基地局８００は、ＲＢ割り当て部８０５により第一無線区間の第一リソースブロック割り当て情報ＲＢ１を作成し、中継局へ送信する。
【００５５】
＜第二実施形態：中継局＞
図９は、第二実施形態の中継局のブロック図である。図９は、倍率決定部９０５を有する点が図４と異なる。図９の９００〜９０４、９０６〜９０９は、図４の４００〜４０８に対応する。
【００５６】
中継局９００は、第一無線区間の第一伝搬品質ＣＱＩ１を測定する。また、中継局９００は、第二無線区間の第二伝搬品質ＣＱＩ２を移動局からアンテナ９０１により受信し、受信部９０２により無線処理を施し、復調部９０３により復調し、復号部９０４により復号する。これにより、第二無線区間の第二伝搬品質ＣＱＩ２が得られる。
【００５７】
倍率決定部９０５は、第一伝搬品質ＣＱＩ１から第一無線区間に割り当てられるリソースブロック数を導出し、第二伝搬品質ＣＱＩ２から第二無線区間に割り当てられるリソースブロック数を導出する。或いは、倍率決定部９０５は、基地局８００から受信した第一リソースブロック割り当て情報ＲＢ１で割り当てられたリソースブロック数を算出してもよい。倍率決定部９０５は、第一及び第二無線区間のリソースブロック数の倍率Ｋを算出する。
【００５８】
ＲＢ割り当て部９０６は、基地局８００から受信した第一リソースブロック割り当て情報ＲＢ１と、倍率決定部９０５から受信した倍率Ｋに基づき、第一実施形態と同様に第二無線区間の第二リソースブロック割り当て情報ＲＢ２を作成する。
【００５９】
＜第二実施形態：シーケンス＞
図１０は、第二実施形態のシーケンス図である。図１０は中継局（ＲＳ）９００が倍率Ｋを決定する点が図５と異なる。
【００６０】
段階１００１〜１００３は図５の段階５０１〜５０２、５０５と同様である。
【００６１】
段階１００４で、基地局（ＢＳ）８００の送信部は、段階１００３で作成した第一リソースブロック割り当て情報ＲＢ１を中継局（ＲＳ）９００へ送信する。
【００６２】
段階１００５〜１００６は図５の段階５０３〜５０４と同様である。ここで、中継局（ＲＳ）９００は、移動局（ＭＳ）から受信した第二無線区間の第二伝搬品質ＣＱＩ２を、基地局（ＢＳ）８００へ中継してもしなくてもよい。
【００６３】
段階１００７で、中継局（ＲＳ）９００の倍率決定部９０５は、自身が測定した第一伝搬品質ＣＱＩ１から第一無線区間に割り当てられるブロック数を算出し、段階１００６で受信した第二伝搬品質ＣＱＩ２から第二無線区間に割り当てられるブロック数を算出する。ここで、段階１００７を段階１００４の後に実行し、倍率決定部９０５は、段階１００４で受信した第一リソースブロック割り当て情報ＲＢ１から第一無線区間に割り当てられるブロック数を算出してもよい。倍率決定部９０５は、算出したブロック数の倍率Ｋを算出する。
【００６４】
段階１００８で、中継局（ＲＳ）９００は、段階１００４で受信した第一リソースブロック割り当て情報ＲＢ１と倍率Ｋを、アンテナ９０１、受信部９０２、復調部９０３、復号部９０４を介して、ＲＢ割り当て部９０６に渡す。ＲＢ割り当て部９０６は、段階１００４で受信した第一リソースブロック割り当て情報ＲＢ１と、倍率決定部９０５が算出した倍率Ｋに基づき、第二無線区間の第二リソースブロック割り当て情報ＲＢ２を作成する。
【００６５】
段階１００９で、段階１００８で作成した第二リソースブロック割り当て情報ＲＢ２を、符号化部９０７、変調部９０８、送信部９０９、及びアンテナ９０１を介して移動局ＭＳへ送信する。
【００６６】
＜第二実施形態：リソースブロック割り当て情報＞
第一及び第二リソースブロック割り当て情報ＲＢ１、ＲＢ２の生成方法は、第一又は第三実施形態と同様なので、説明を省略する。
【００６７】
＜第三実施形態：基地局＞
第一実施形態では、基地局３００のＲＢ割り当て部３０５は、倍率決定部３０６が決定した第一無線区間と第二無線区間の平均的な倍率Ｋに基づき、第一リソースブロック割り当て情報ＲＢ１を生成した。これに対し、第三実施形態では、第一及び第二無線区間のそれぞれで、リソースブロックを割り当てる周波数領域での位置を決定した後に、倍率Ｋを算出し、リソースブロック割り当て情報を作成する。これにより、第二無線区間の周波数利用効率を向上させることができる。
【００６８】
図１１は、第三実施形態の基地局のブロック図である。図１１は、ＲＢ割り当て部１１０５が生成した第一リソースブロック割り当て情報ＲＢ１が倍率決定部１１０６にも渡される点が図３と異なる。図１１の１１００〜１１０９は、図３の３００〜３０９に対応する。
【００６９】
ＲＢ割り当て部１１０５は、高い第一伝搬品質ＣＱＩ１を有するリソースブロックを選択して、第一リソースブロック割り当て情報ＲＢ１を作成する。例えば、ＲＢ割り当て部１１０５は、高い第一伝搬品質ＣＱＩ１を有するリソースブロックから、つまり伝搬品質の良いリソースブロックを優先して選択し、リソースブロック割り当て情報ＲＢ１を作成する。また、所定値より高いＣＱＩ１を有するリソースブロックをリソースブロックの番号順に選択することにより、リソースブロック割り当て情報ＲＢ１を作成してもよい。
【００７０】
倍率決定部１１０６は、ＲＢ割り当て部１１０５から受信した第一リソースブロック割り当て情報ＲＢ１と、中継局から受信した第二無線区間の第二伝搬品質ＣＱＩ２を用いて倍率Ｋを算出する。
【００７１】
具体的には、倍率決定部１１０６は、次のように倍率Ｋを算出する。先ず、第一リソースブロック割り当て情報ＲＢ１から、第一無線区間に割り当てられたリソースブロック数を導出する。次に、第一無線区間と同等の伝搬品質を実現するために、第二無線区間で割り当てられるべき先頭のリソースブロックからのリソースブロック数を、第二伝搬品質ＣＱＩ２から算出する。最後に、第一無線区間に割り当てられたリソースブロック数と、第二無線区間で割り当てられるべきリソースブロック数とから、倍率Ｋを算出する。
【００７２】
複数の移動局が存在する場合には、第二無線区間の先頭のリソースブロックから数えていくつのリソースブロックが各移動局に割り当てることができないかを表すオフセット値を用いる。例えば、第一の移動局が先頭のリソースブロックから割り当て可能な場合には、当該移動局に対するオフセット値は「０」である。第二の移動局が３番目のリソースブロックから割り当て可能であり、先頭から２番目のリソースブロックが割り当て不可能な場合には、当該移動局に対するオフセット値は「２」である。
【００７３】
オフセット値を用いる場合、第二無線区間で割り当てられるべきリソースブロック数は、オフセット値に１を加算した番号を有するリソースブロックからのリソースブロック数により表す。
【００７４】
＜第三実施形態：中継局＞
図１２は、第三実施形態の中継局のブロック図である。図１２は、図４と同様の構成を有するが、ＲＢ割り当て部１２０５の動作が異なる。図１２の１２００〜１２０８は、図４の４００〜４０８に対応する。
【００７５】
中継局１２００のＲＢ割り当て部１２０５は、基地局１１００から受信した第一リソースブロック割り当て情報ＲＢ１と倍率Ｋから、第二無線区間のリソースブロック割り当て情報ＲＢ２を生成する。
【００７６】
ＲＢ割り当て部１２０５は、移動局毎に、オフセット値に１を加算した番号を有するリソースブロックから、第一リソースブロック割り当て情報ＲＢ１で割り当てられたリソースブロック数に倍率Ｋを乗算して得られた数だけ、第二無線区間でリソースブロックを割り当てる。従って、第二無線区間では、移動局毎にリソースブロックが連続して割り当てられる。
【００７７】
また、オフセット値は、移動局毎に復号を行った順に定められてよい。例えば、最初の移動局に対しては、オフセット値＝０を定め、２つのリソースブロックを割り当てる。次の移動局に対しては、オフセット値＝２となり、４つのリソースブロックを割り当てる。更に次の移動局に対しては、オフセット値＝６となり、３つのリソースブロックを割り当てる。このように、前の移動局のオフセット値と割り当てられたリソースブロック数によって、次の移動局のオフセット値と割り当てるリソースブロック数が定められてよい。
【００７８】
＜第三実施形態：シーケンス＞
図１３は、第三実施形態のシーケンス図である。図１３は、第一リソースブロック割り当て情報ＲＢ１と倍率Ｋの決定方法が、図５と異なる。
【００７９】
段階１３０１〜１３０４は図５の段階５０１〜５０４と同様である。
【００８０】
段階１３０５で、基地局（ＢＳ）１１００のＲＢ割り当て部１１０５は、段階１３０２で受信した第一無線区間の第一伝搬品質ＣＱＩ１に基づき、高いＣＱＩ１を有するリソースブロックを選択して、第一リソースブロック割り当て情報ＲＢ１を作成する。これにより、品質の良いリソースブロックを優先的に割り当てることができる。
【００８１】
段階１３０６で、基地局（ＢＳ）１１００の倍率決定部１１０６は、段階１３０５で作成した第一リソースブロック割り当て情報ＲＢ１から第一無線区間で割り当てられたリソースブロック数を算出する。また、倍率決定部１１０６は、段階１３０４で受信した第二無線区間の第二伝搬品質ＣＱＩ２に基づき、第一無線区間と同等の伝搬品質を実現するために第二無線区間で必要なリソースブロック数を算出する。
【００８２】
段階１３０７で、倍率決定部１１０６は、段階１３０６で算出した第一及び第二無線区間のリソースブロック数から、倍率決定部１１０６は倍率Ｋを算出する。
【００８３】
段階１３０８で、基地局（ＢＳ）１１００の送信部１１０９は、段階１３０５で作成した第一リソースブロック割り当て情報ＲＢ１と、段階１３０７で作成した倍率Ｋを中継局（ＲＳ）１２００へ送信する。
【００８４】
段階１３０９で、中継局（ＲＳ）１２００のＲＢ割り当て部１２０５は、段階１３０８で受信した第一リソースブロック割り当て情報ＲＢ１と倍率Ｋに基づき、第二リソースブロック割り当て情報ＲＢ２を作成する。第二リソースブロック割り当て情報ＲＢ２は、移動局毎にオフセット値を考慮して作成される。オフセット値の決定方法は、＜第三実施形態：中継局＞で説明した通りである。
【００８５】
段階１３１０で、段階１３０９で作成した第二リソースブロック割り当て情報ＲＢ２を、符号化部１２０７、変調部１２０８、送信部１２０９、及びアンテナ１２０１を介して移動局ＭＳへ送信する。
【００８６】
＜第三実施形態：リソースブロック割り当て情報＞
図１４は、第三実施形態のリソースブロック情報の生成の例を説明する図である。図１４は、図６と第一及び第二リソースブロック割り当て情報ＲＢ１、ＲＢ２を生成する方法が異なる。図１４の（ａ）〜（ｃ）、１４０１〜１４０７は図６の（ａ）〜（ｃ）、６０１〜６０７に対応する。
【００８７】
（ａ）に示すように、基地局１１００のＲＢ割り当て部１１０５は、移動局ＭＳ１のための第一リソースブロック割り当て情報ＲＢ１「０１０１００００」（１４０２）、移動局ＭＳ２のための第一リソースブロック割り当て情報ＲＢ１「００１０１０００」（１４０３）を作成する。このとき、高い第一伝搬品質ＣＱＩ１を有するリソースブロックが選択されるように、第一リソースブロック割り当て情報ＲＢ１が作成される。
【００８８】
基地局１１００の倍率決定部１１０６は、ＲＢ割り当て部１１０５が決定した第一リソースブロック割り当て情報ＲＢ１から第一無線区間で割り当てられたリソースブロック数を算出する。図１４（ａ）から、移動局ＭＳ１に２つ、ＭＳ２にも２つのリソースブロックが割り当てられていることが分かる。
【００８９】
基地局１１００の倍率決定部１１０６は、第一無線区間で割り当てられたリソースブロックを、第二無線区間では先頭から（又はオフセット値の次から）何個のリソースブロックを割り当てれば送信可能かを、第二無線区間の第二伝搬品質ＣＱＩ２に基づき決定する。
【００９０】
（ｂ）に示すように、移動局ＭＳ１については、第一無線区間と同程度の伝搬品質ＣＱＩが得られている（１４０４）。この場合、第二無線区間では、第一無線区間と同数のリソースブロックを割り当てればよい。従って、倍率Ｋ＝１．０を得る。
【００９１】
中継局１２００のＲＢ割り当て部１２０５は、第一無線区間で割り当てられたリソースブロック数と倍率Ｋ＝１．０から、第二リソースブロック割り当て情報ＲＢ２を作成する。移動局ＭＳ１の第二リソースブロック割り当て情報ＲＢ２を最初に作成する場合、オフセット値＝０なので、先頭から２個のリソースブロックが割り当てられる。結果として、移動局ＭＳ１の第二リソースブロック割り当て情報ＲＢ２は、「１１００００００」である（１４０５）。
【００９２】
（ｃ）に示すように、移動局ＭＳ２については、第一無線区間より粗悪な伝搬品質ＣＱＩが得られている（１４０６）。この場合、第二無線区間では、第一無線区間の２倍のリソースブロックを割り当てる必要がある。従って、倍率Ｋ＝２．０を得る。
【００９３】
中継局１２００のＲＢ割り当て部１２０５が、移動局ＭＳ２の第二リソースブロック割り当て情報ＲＢ２を移動局ＭＳ１の次に作成する場合、（ｂ）に示したように既に２つのリソースブロックが割り当てられているのでオフセット値＝２である。従って、移動局ＭＳ２には、３番目のリソースブロックから４個のリソースブロックが割り当てられる。結果として、移動局ＭＳ２の第二リソースブロック割り当て情報ＲＢ２は、「００１１１１００」である（１４０７）。
【符号の説明】
【００９４】
３００、８００、１１００、ＢＳ  基地局
４００、９００、１２００、ＲＳ  中継局
ＭＳ  移動局
３０１、４０１、８０１、９０１、１１０１、１２０１  アンテナ
３０２、４０２、８０２、９０２、１１０２、１２０１  受信部
３０３、４０３、８０３、９０３、１１０３、１２０３  復調部
３０４、４０４、８０４、９０４、１１０４、１２０４  復号部
３０５、４０５、８０５、９０６、１１０５、１２０５  ＲＢ割り当て部
３０６、９０５、１１０６  倍率決定部
３０７、４０６、８０６、９０７、１１０７、１２０６  符号化部
３０８、４０７、８０７、９０８、１１０８、１２０７  変調部
３０９、４０８、８０８、９０９、１１０９、１２０８  送信部
６０１、７０１、１４０１  第一伝搬品質ＣＱＩ１
６０２、６０３、７０２、７０３、１４０２、１４０２  第一リソースブロック割り当て情報ＲＢ１
６０４、６０６、７０４、７０６、１４０４、１４０６  第二伝搬品質ＣＱＩ２
６０５、６０７、７０５、７０７、１４０５、１４０７  第二リソースブロック割り当て情報ＲＢ２
【図１】
2011042970.tif 000003
【図２】
2011042970.tif 000004
【図３】
2011042970.tif 000005
【図４】
2011042970.tif 000006
【図５】
2011042970.tif 000007
【図６】
2011042970.tif 000008
【図７】
2011042970.tif 000009
【図８】
2011042970.tif 000010
【図９】
2011042970.tif 000011
【図１０】
2011042970.tif 000012
【図１１】
2011042970.tif 000013
【図１２】
2011042970.tif 000014
【図１３】
2011042970.tif 000015
【図１４】
2011042970.tif 000016
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
移動局からの無線信号を中継する中継局と接続された基地局であって、
前記基地局と中継局との間の第一無線区間の伝搬品質である第一伝搬品質に基づき前記第一無線区間の第一リソースブロック割り当て情報を生成するリソースブロック割り当て部と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を計算する倍率決定部と、
前記第一リソースブロック割り当て情報と前記倍率とを前記中継局へ送信する送信部と、
を有する基地局。
【請求項２】
前記第一リソースブロック数は、前記第一伝搬品質から算出され、前記第二リソースブロック数は、前記第二無線区間の伝搬品質である第二伝搬品質から算出される、
請求項１記載の基地局。
【請求項３】
前記第一リソースブロック数は、前記第一リソースブロック割り当て情報から算出され、前記第二リソースブロック数は、前記第二伝搬品質から算出される、
請求項１記載の基地局。
【請求項４】
前記第一リソースブロック割り当て情報は、最も高い前記第一伝搬品質を有するリソースブロックから順に、又は所定値より高い前記第一伝搬品質を有するリソースブロックから選択して作成される、
請求項１記載の基地局。
【請求項５】
移動局からの無線信号を中継する中継局と接続された基地局におけるリソース割当て方法であって、
前記基地局と中継局との間の第一無線区間の伝搬品質である第一伝搬品質に基づき前記第一無線区間の第一リソースブロック割り当て情報を生成し、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を計算し、
前記第一リソースブロック割り当て情報と前記倍率とを前記中継局へ送信する、
ことを特徴とする基地局におけるリソース割当て方法。
【請求項６】
移動局からの無線信号を基地局に中継する中継局であって、
データを受信する受信部と、
リソースブロック割り当て情報を生成するリソースブロック割り当て部と、を有し、
前記受信部は、前記基地局から、
前記基地局と中継局との間の第一無線区間の伝搬品質である第一伝搬品質に基づく前記第一無線区間の第一リソースブロック割り当て情報と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率と、
を受信し、
前記リソースブロック割り当て部は、前記第一リソースブロック割り当て情報と前記倍率に基づき、前記第二無線区間の第二リソースブロック割り当て情報を生成する、
中継局。
【請求項７】
移動局からの無線信号を基地局に中継する中継局の動作方法であって、
前記基地局から、
前記基地局と中継局との間の第一無線区間の伝搬品質である第一伝搬品質に基づく前記第一無線区間の第一リソースブロック割り当て情報と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率と、
を受信し、
前記第一リソースブロック割り当て情報と前記倍率に基づき、前記第二無線区間の第二リソースブロック割り当て情報を生成する、
ことを特徴とする方法。
【請求項８】
移動局からの通信を基地局に中継する中継局であって、
前記基地局と中継局との間の第一無線区間の第一リソースブロック割り当て情報を受信する受信部と、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を決定する倍率決定部と、
前記第一リソースブロック割り当て情報と前記倍率から、前記第二無線区間の第二リソースブロック割り当て情報を生成するリソースブロック割り当て部と、
を有する中継局。
【請求項９】
前記第一リソースブロック数は、前記第一無線区間の伝搬品質である第一伝搬品質から算出され、前記第二リソースブロック数は、前記第二無線区間の伝搬品質である第二伝搬品質から算出される、
請求項８記載の中継局。
【請求項１０】
移動局からの無線信号を基地局に中継する中継局の動作方法であって、
前記基地局と中継局との間の第一無線区間の第一リソースブロック割り当て情報を受信し、
前記第一無線区間に割り当てた第一リソースブロック数と、前記第一リソースブロック数を前記中継局と移動局との間の第二無線区間で送信するために前記第二無線区間で割り当てる第二リソースブロック数との比である倍率を決定し、
前記第一リソースブロック割り当て情報と前記倍率から、前記第二無線区間の第二リソースブロック割り当て情報を生成する、
ことを特徴とする方法。
【国際調査報告】
2011042970.tif 000017
2011042970.tif 000018